(57)【要約】【課題】  安価かつ簡易な構成で、トロイダル型の垂直偏向コイルの漏れ磁界を低減することができる偏向ヨークを提供する。【解決手段】  トロイダル型の垂直偏向コイル３６は、複数のコイル束３６１〜３６８からなり、フェライトコア３４の外周面には、各コイル束の端部に当接する位置にフェライトコア３４と一体成形されたリブ３５１〜３５８が設けられる。各リブの管軸方向の長さは、フェライトコア３４の電子銃側の端面３４３から、少なくともフェライトコア３４の管軸方向の長さの４分の１だけあり、その高さは、当該リブに近接するコイル束の巻厚をＴとすると、当該コイル束の最表面から少なくともＴだけ突出した高さに設定される。【選択図】          図２
2005056670.tif 000002
【特許請求の範囲】
【請求項１】
電子銃から射出された電子ビームを垂直方向に偏向する一対の垂直偏向コイルを備えた偏向ヨークであって、
前記一対の垂直偏向コイルは、それぞれ、ほぼラッパ状のコアの、周方向の異なる位置にトロイダル状に巻回された複数のコイル束からなり、
前記ラッパ状のコアを陰極線管の管軸方向から見て、その管軸の位置を原点とし、この原点を通過して水平偏向方向および垂直偏向方向に伸びる直線をそれぞれｘ軸、ｙ軸とする座標系を想定した場合に、
前記コア外周面の、前記複数のコイル束の巻き始め及び巻き終わりの各位置に近接する複数の特定位置のうち、少なくとも、上記座標系の各第１〜第４象限においてｘ軸からの角度の絶対値が最大となる特定位置において、磁性体からなるリブが形成されてなることを特徴とする偏向ヨーク。
【請求項２】
前記リブの管軸方向における長さは、前記コアの前記電子銃側の端面から、少なくとも前記コアの管軸方向の長さの４分の１以上の長さがあることを特徴とする請求項１記載の偏向ヨーク。
【請求項３】
前記リブは、当該リブに近接するコイル束の巻厚をＴとすると、当該コイル束の最表面から少なくともＴだけ突出した高さがあることを特徴とする請求項１または２に記載の偏向ヨーク。
【請求項４】
前記リブは、前記コアの前記電子銃側の端面にまで回りこんで形成されていることを特徴とする請求項１から３のいずれかに記載の偏向ヨーク。
【請求項５】
前記コアの端面に形成されたリブの高さは、当該リブに近接するコイル束の巻厚をＳとすると、当該コイル束の最表面から少なくともＳだけ突出した高さがあることを特徴とする請求項４に記載の偏向ヨーク。
【請求項６】
前記リブは、前記コアと一体成形されてなることを特徴とする請求項１から５のいずれかに記載の偏向ヨーク。
【請求項７】
請求項１から６のいずれかに記載の偏向ヨークを備えることを特徴とする陰極線管装置。
【発明の詳細な説明】
【技術分野】
【０００１】
本発明は、テレビ受像機やコンピュータ用ディスプレイなどに用いられる陰極線管の偏向ヨークおよび当該偏向ヨークを備えた陰極線管装置に関する。
【背景技術】
【０００２】
一般に、カラー陰極線管装置は、インライン型の電子銃から射出された３本の電子ビームを、水平偏向コイルおよび垂直偏向コイルを備えた偏向ヨークで偏向させて、前面パネルの内側の蛍光体スクリーンをラスタースキャンさせるようになっている。
【０００３】
そして、垂直偏向コイルによって発生する磁界は樽型（バレル型）と呼ばれる分布を持つと共に、水平偏向コイルによって発生する磁界は糸巻型（ピンクッション型）と呼ばれる分布を持ち、これにより良好なコンバーゼンスを得ることができるように構成されている。
【０００４】
ところで、上記の垂直偏向コイルの巻回の種類として、コイル線をフェライトコアに直接巻回するトロイダル型といわれるものがある。この方式の垂直偏向コイルは、コイルの巻線数、巻幅、巻厚、巻分布などの調整が容易であり、磁界の最適分布が得られやすいという利点がある一方、フェライトコアの外側に向けて漏れ磁界が発生しやすく、これが電子銃から射出された電子ビームの軌道に悪影響を及ぼして上述のコンバーゼンスを劣化させ色ずれを生じさせるという弊害があった（以下、電子ビームの軌道が変化して蛍光体スクリーンへの到達位置がずれることを「ミスコンバーゼンス」という。）。また、電子銃側における漏れ磁界により、電子銃における主レンズの電界に乱れが生じ、フォーカス特性が劣化するという問題も生じていた。
【０００５】
このような不都合を避けるため、従来は、偏向ヨークの所定の位置に補正コイルを設けて、当該トロイダル型の垂直偏向コイルからの漏れ磁界をキャンセルする方向に磁界を発生させるようにしている（例えば、特許文献１、特許文献２）。
【０００６】
しかしながら、上記の特許文献１に記載の方法では、別途補正コイルを設ける必要があるので、部品点数が増える上、製造ラインにおいて当該補正コイルの配線・設置作業の工程が必要となり、全体としてコストアップとなる。
【特許文献１】特開昭６２−２４１２４２号公報
【特許文献２】特開平４−９５３３５号公報
【発明の開示】
【発明が解決しようとする課題】
【０００７】
本発明は、上記の課題に鑑み、特にコストアップを招くことなく、トロイダル型コイルの漏れ磁界の影響を低減して良好なコンバーゼンスおよびフォーカス特性が得られる偏向ヨークおよび当該偏向ヨークを備えた陰極線管装置を提供することを目的とする。
【課題を解決するための手段】
【０００８】
上記の目的を達成するため、本発明に係る偏向ヨークは、電子銃から射出された電子ビームを垂直方向に偏向する一対の垂直偏向コイルを備えた偏向ヨークであって、前記一対の垂直偏向コイルは、それぞれ、ほぼラッパ状のコアの、周方向の異なる位置にトロイダル状に巻回された複数のコイル束からなり、前記ラッパ状のコアを陰極線管の管軸方向から見て、その管軸の位置を原点とし、この原点を通過して水平偏向方向および垂直偏向方向に伸びる直線をそれぞれｘ軸、ｙ軸とする座標系を想定した場合に、前記コア外周面の、前記複数のコイル束の巻き始め及び巻き終わりの各位置に近接する複数の特定位置のうち、少なくとも、上記座標系の各第１〜第４象限においてｘ軸からの角度の絶対値が最大となる特定位置において、磁性体からなるリブが形成されてなることを特徴とする。
【０００９】
ここで、「近接」しているとは、リブとコイル束の巻き始めもしくは巻き終わりが「当接」している場合を含む。
【００１０】
また、本発明は、前記リブの管軸方向における長さは、前記コアの前記電子銃側の端面から、少なくとも前記コアの管軸方向の長さの４分の１以上の長さがあることを特徴とする。
【００１１】
さらに、また本発明は、前記リブは、当該リブに近接するコイル束の巻厚をＴとすると、当該コイル束の最表面から少なくともＴだけ突出した高さがあることを特徴とする。
【００１２】
ここで、前記リブは、前記コアの前記電子銃側の端面にまで回りこんで形成されている構成とすることが望ましい。
【００１３】
また、ここで、前記コアの端面に形成されたリブの高さは、当該リブに近接するコイル束の巻厚をＳとすると、当該コイル束の最表面から少なくともＳだけ突出した高さがあることが望ましい。
【００１４】
また、本発明は、前記リブは、前記コアと一体成形されてなることを特徴とする。
【００１５】
さらに、本発明に係る陰極線管装置は、上記偏向ヨークを備えることを特徴とする。
【発明の効果】
【００１６】
本発明によれば、複数のコイル束をラッパ状のコアに巻回してなるトロイダル型の垂直偏向コイルにおいて、前記ラッパ状のコアを陰極線管の管軸方向から見て、その管軸の位置を原点とし、この原点を通過して水平偏向方向および垂直偏向方向に伸びる直線をそれぞれｘ軸、ｙ軸とする座標系を想定した場合に、前記コア外周面の、前記複数のコイル束の巻き始め及び巻き終わりの各位置に近接する複数の特定位置のうち、少なくとも、上記座標系の各第１〜第４象限においてｘ軸からの角度の絶対値が最大となる特定位置において、磁性体からなるリブが形成されているので、偏向ヨークにトロイダル型の垂直偏向コイルであっても補正コイルを用いることなく、その漏れ磁界を磁性体のリブによる磁気シールド効果によりコンバーゼンスやフォーカス特性に影響のない程度まで低減させることができる。これにより偏向ヨークの製造コストを抑えつつ、陰極線管装置に使用されたときに、色ずれや解像度の劣化のない良好な表示画面を得ることができる。
【００１７】
また、本発明は、前記リブの管軸方向における長さが、前記コアの前記電子銃側の端面から、少なくとも前記コアの管軸方向の長さの４分の１以上の長さがあり、これによりミスコンバーゼンスやフォーカス特性の劣化を引き起こす漏れ磁界を効果的に低減することができる。
【００１８】
さらに、上記リブの高さが、当該垂直偏向コイルの最表面からその部分におけるコイル束の巻厚をＴの高さだけ高くなるように構成すれば、ミスコンバーゼンスやフォーカス特性の劣化を引き起こす漏れ磁界を一層効果的に低減することができる。
【００１９】
また、前記リブが、前記コアの前記電子銃側の端面にまで回りこんで形成されるようにすれば、電子銃から射出された電子ビームの軌道およびフォーカス特性に対して影響のある漏れ磁界をさらに低減できる。
【００２０】
また、ここで、前記コアの端面に形成されたリブの高さは、当該リブに近接するコイル束の巻厚をＳとすると、当該コイル束の最表面から少なくともＳだけ突出した高さを有する構成とすることにより、さらに効果的に電子銃から射出された電子ビームの軌道およびフォーカス特性に対して影響のある漏れ磁界を低減できる。
【００２１】
また、前記リブを前記コアと一体成形すれば、コアを製造後に、リブを別途取り付ける手間が省け偏向ヨークの製造工程が簡易になり、コストダウンに資する。
【００２２】
さらに、本発明に係る陰極線管装置は、上記構成を備える偏向ヨークを備えることにより、コストダウンを図りながらも良好なコンバーゼンスとフォーカス特性を有し、高品位な表示画面が得られる。
【発明を実施するための最良の形態】
【００２３】
以下、本発明の実施の形態に係るカラー陰極線管装置について、図面を参照しながら説明する。
【００２４】
（カラー陰極線管装置の全体構成）
図１は、本実施の形態に係るカラー陰極線管装置１０の概略構成を示す半断面図である。同図に示すように、カラー陰極線管装置１０は、カラー陰極線管１２、偏向ヨーク１４、ＣＰＵ（Convergence and Purity Unit）１６等から成る。
【００２５】
カラー陰極線管１２は、フェースパネル２０とファンネル２２とが接合されてなるガラスバルブ内にインライン型電子銃（以下、単に「電子銃」と言う。）２４やシャドウマスク２６などが収納されてなる。
【００２６】
フェースパネル２０の内面には、赤、緑、青の各蛍光体ドットが規則正しく配列されてなる蛍光体スクリーン２８が形成されている。前記シャドウマスク２６は当該蛍光体スクリーン２８とほぼ並行して設けられている。シャドウマスク２６には電子ビーム通過孔が多数設けられ、電子銃２４から射出される３本の電子ビーム３０がそれぞれの蛍光体に正しく当たるようになっている。
【００２７】
偏向ヨーク１４は、ファンネル２２のネック２３寄りの外周に設けられており、電子銃２４から射出される３本の電子ビーム３０を上下・左右に偏向し、ラスタースキャン方式で蛍光体スクリーン２８を走査させるものである。偏向ヨーク１４はサドル型の水平偏向コイル３２とトロイダル型の垂直偏向コイル３６とを備えており、後者の垂直偏向コイル３６はフェライトコア３４に巻回されている。
【００２８】
垂直偏向コイル３６と水平偏向コイル３２との間には、樹脂枠３８が設けられている。樹脂枠３８は、垂直偏向コイル３６と水平偏向コイル３２との間の電気的な絶縁状態を維持すると共に、両偏向コイル３２，３６を支持する役割を果たしている。
【００２９】
フェライトコア３４の外周面には、磁性体からなる複数のリブ群３５が設けられており、これにより垂直偏向コイル３６より生じる漏れ磁界のうち、特に電子銃２４から射出された電子ビームの軌道に影響するものを抑制する。詳しくは後述する。
【００３０】
電子銃２４は、ネック部２３内側に収納されている。電子銃２４は、３個のヒータ（不図示）により個別に加熱される３個のカソード（不図示）を水平方向にインライン配列してなる。
【００３１】
また、ＣＰＵ１６は、複数のマグネットリングからなる公知のものであって、ネック部２３外周の、電子銃２４に対応する位置に設けられており、これにより電子ビームの静コンバーゼンス調整およびピュリティー調整が行われる。
【００３２】
（フェライトコアおよび垂直偏向コイル）
図２は、上記偏向ヨーク１４のうち、フェライトコア３４とこれに巻回されたトロイダル型の垂直偏向コイル３６の形状を示す外観斜視図である。
【００３３】
同図に示すようにフェライトコア３４は、２分割型であって上部コア３４１と下部コア３４２を止め金具３４４により固定して、ほぼラッパ形状に形成されている。
【００３４】
垂直偏向コイル３６は、上下方向に対向して配置される上部コイル３６ａと下部コイル３６ｂからなり、上部コイル３６ａは、第１、第２コイル束３６１、３６２、下部コイル３６ｂは、第３、第４コイル束３６３、３６４をそれぞれ直列に接続してなる。なお、これ以外の接続も技術的に可能である。
【００３５】
また、フェライトコア３４の外周面には、各コイル束３６１〜３６４の巻き始めと巻き終わりの部分に当接するようにリブ３５１〜３５８が設けられている。
【００３６】
このリブ３５１〜３５８は、フェライトコア３４と同じ磁性体からなり当該フェライトコア３４本体と一体成形されてなる。具体的には、例えば、フェライトコアの原材料（ＭｇＺｎ系フェライトやＮｉＺｎ系フェライト）の粉体を当該リブを含むコア形状の金型内に詰めて成形し、これを焼結させることにより形成される。
【００３７】
図３は、このフェライトコア３４の電子銃側の端面３４３における各コイル束３６１〜３６４の巻線の位置を示す図である。同図では、説明の便宜上、管軸ｚの位置を原点Ｏとし、水平偏向方向をｘ軸、垂直偏向方向をｙ軸とする座標系を設定している。
【００３８】
同図に示すように各コイル束３６１〜３６４は、ｘ軸、ｙ軸に対して対称な位置に巻回され、各コイル束３６１〜３６４の巻き始めと巻き終り（なお、どちら側が巻き始めになるか巻き終わりになるかはコイルの製造上の問題なので、以下では双方を区別せず単に「コイル端部」という。）の各象限における位置は、ｘ軸からαおよびβの角度（巻角）にある。
【００３９】
そして、各リブ３５１〜３５８は、各コイル束３６１〜３６４の両コイル端部に当接する位置に設けられている。
【００４０】
なお、本明細書において、「各象限におけるｘ軸からの角度」というときは、当該象限に属するｘ軸から時計回りもしくは反時計周りに計測した場合の角度の絶対値をいうものとする（０＜β＜α＜９０°）。このようなα及びβの値および各コイル束の巻き数は、最適なバレル型の垂直偏向磁界が発生できるように設計段階で決定されている。
【００４１】
図４は、図３のＡ−Ａ線における矢視断面図である。なお、コイル束３６１の巻線は実際には複数段あるが、便宜上、図４では簡易に示してある。
【００４２】
同図に示すようにリブ３５１の高さＨ１は、コイル束３６１の巻き線の最表面よりさらに高くなっており、この部分のコイル束３６１の巻線の最表面の、フェライトコア３４表面からの距離をｈ１、巻き線の巻厚をＴとするとＨ１≧ｈ１＋Ｔとなるように設定されている。
【００４３】
また、リブ３５１は、フェライトコア３４の電子銃側端面３４３側にも回り込んで形成されており、この回り込み部３５１ａのリブの高さＨ２は、コイル束３６１のこの部分での巻厚Ｓの２倍以上（Ｈ２≧２Ｓ）となっている。
【００４４】
さらに、リブ３５１の電子銃側端面３４３から管軸ｚ方向における長さＬ１（回り込み部３５１ａの高さＨ２を除く）は、フェライトコア３４の管軸方向の長さＬの４分の１以上であることが望ましい。
【００４５】
なお、リブ３５１は、実際には製造段階、特に金型から取り出す段階で、欠けたりしないようにその横断面（管軸に直交する平面における切断面）の形状は台形状であって、頂部にいくほど幅がわずかに細くなるようにリブの側壁がテーパー状（左右０．８％程度）になっている。このリブの頂部の幅Ｗ１（図３参照）は、本実施の形態では、ほぼ１ｍｍ程度に設定されているが、この寸法に限定されない。他のリブ３５２〜３５８の形状や寸法も上記リブ３５１と同様の条件を満たしている。
【００４６】
上記リブ３５１の形成により漏れ磁界が低減される効果を確認するため、コンピュータによるシミュレーションを試みた。
【００４７】
図５は、本シミュレーションの対象となるフェライトコア３４、リブ３５１の簡易化したモデルであり、フェライトコア３４の外周面は、屈曲部のない単純な円錐台形状の外周であり、また、リブ３５１には回り込み部３５１ａを設けていない。このようなモデルと従来のリブがないモデル（不図示）について、管軸ｚに直交する面Ｖと、管軸ｚと平行な面Ｐをそれぞれ漏れ磁界の強度の評価面としてシミュレートしたところそれぞれ図６、図７に示すような結果が得られた。
【００４８】
なお、図６、図７の各（ａ）（ｂ）において「Ｒ」は、コイル束３６１の巻かれている領域を示すと共に、線分ａ、ｂ、ｃは漏れ磁界の強度分布を示し、コイル束に近付くほど磁界強度が強くなっている（ａ＞ｂ＞ｃ）。
【００４９】
図６は、管軸ｚに直交する評価面Ｖにおける漏れ磁界の強度分布のシミュレーション結果を示す概略図であり、（ａ）がリブを有する場合、（ｂ）が従来のリブを有しない場合を示している。当該図６（ａ）、（ｂ）を比較して分かるようにリブを設けたフェライトコアの方が従来のリブなしのフェライトコアよりも磁界強度の高い領域の範囲が小さくなっており、漏れ磁界が抑制されているのがよく分かる。
【００５０】
このような現象が生じるのは、漏れ磁界が多く発生する箇所は主にコイル端部であり、これに当接させて所定の高さのリブを形成すると、当該リブが漏れ磁界に対して磁気シールドとして作用するからである。
【００５１】
また、図７（ａ）、（ｂ）は、図５における管軸ｚに平行な評価面Ｐにおける漏れ磁界の強度分布のシミュレーション結果を示す概略図であり、（ａ）がリブを有する場合、（ｂ）が従来のリブを有しない場合を示している。同図  （ａ）（ｂ）を比較して分かるように管軸と平行な方向においてもリブを設けたフェライトコアの方が従来のリブなしのフェライトコアよりも磁界強度の高い領域の範囲が小さくなっており、漏れ磁界の広がりが抑制されている。
【００５２】
このように磁性体からなるリブをコイル端部に当接させて形成することによって、当該コイル端部からの磁界が透磁率の高いリブ側に引き寄せられ、フェライトコア外部における漏れ磁界の強度が弱くなるため、特に偏向中心に近い位置にある電子ビームや電子銃の主レンズ電界への影響力が低減し、ミスコンバーゼンスやフォーカス特性の劣化を抑制できるのである。
【００５３】
なお、リブがその磁気シールドとしての効果を十全に発揮するためには、上述のようにコイル端部に当接（接触）しているのが望ましいが、両者間に若干の隙間があっても効果はある。本明細書においては、上記のように「当接」している場合と、完全に当接していなくても、ほぼ「当接」と同視できる範囲に接近している場合を含めて「近接」しているという用語を用いている。
【００５４】
次に、上記リブの寸法の最適範囲を実験に基づき説明する。
【００５５】
（１）リブのコア表面からの高さＨ１の最適範囲
上述の原理から、磁性体であるリブの高さＨ１が大きければ大きいほど漏れ磁界の遮断効果が大きくなるのはいうまでもないが、当該偏向ヨーク３４の配置スペースや他の部品配置との関係でリブの高さにも自ら限界があり、具体的には設計段階で決定される。
【００５６】
問題は、少なくともどれ以上の高さがあれば、ミスコンバーゼンスやフォーカス劣化を許容範囲内に抑えることができるかである。
【００５７】
そこで、リブの高さＨ１を、リブがない場合（Ｈ１＝０）、近接するコイル束の巻線表面の高さと同じ場合（Ｈ１＝ｈ１）および、Ｈ１＝ｈ１＋Ｔ（Ｔは、リブに近接するコイル端部における巻厚）、Ｈ１＝ｈ１＋２Ｔの各場合において漏れ磁界の強度をフェライトコアの電子銃側の所定位置で測定してみると、図８のグラフに示すような結果が得られた。
【００５８】
同図において、横軸はリブの高さＨ１、縦軸は、漏れ磁界の強度を示しており、ここではリブなしの場合の漏れ磁界の強度を「１」としたときの相対的な数値で示している。なお、この実験においてリブの管軸方向の長さＬ１は、Ｌ／２に設定している。
【００５９】
一般に漏れ磁界の強度をリブなしの場合より５０％低減すれば、仮に漏れ磁界の影響によりミスコンバーゼンスが生じたとしても許容範囲内であると考えられており、また、フォーカス特性の劣化も十分解消される。図８の実験結果から、Ｈ１が、ほぼｈ１＋０．４Ｔを超えれば、この条件を満足することになるが、本発明では、さらに漏れ磁界を低減してミスコンバーゼンスおよびフォーカス劣化を抑制すべく、Ｈ１が少なくともｈ１＋Ｔ以上であるようにしている。これにより漏れ磁界が、リブがない場合よりもおよそ６０％も低減され、従来のように補正コイルを用いずとも、画質に影響を与えない程度まで十分小さくすることができる。
【００６０】
なお、フェライトコア端面への回り込み部の高さＨ２についても、磁気シールドの原理から上述と同様の条件を満足すればよい。すなわち、その部分のコイル端部の巻線の最表面から、少なくとも当該コイル束の巻厚Ｓだけ突出した高さだけあればよい。
【００６１】
（２）リブの管軸方向の長さＬ１の最適範囲
次に、リブのフェライトコアの電子銃側端面からの管軸方向における長さＬ１の最適範囲について検討する。なお、本実験では、リブ３５１に回り込み部３３５１ａを形成していないものを用いている。
【００６２】
まず、Ｌ１の最大値は、当然ながらフェライトコア外周の管軸方向全長のＬとなる。
【００６３】
しかし、漏れ磁界の影響により電子ビームの軌道に一番影響を及ぼすのは、特に当該電子ビームの偏向中心に近い部分や電子銃に作用する漏れ磁界なので、必ずしもリブの長さがフェライトコアの管軸方向の全長Ｌだけ必要というわけではなく、電子銃側の端面から管軸方向に所定長さＬ１だけあればよい。
【００６４】
そこで、Ｌ１の大きさを変化させて、電子銃側の所定位置において漏れ磁界の強度を測定したところ、図９のグラフに示すような結果が得られた。同グラフにおいて、横軸は、フェライトコアの管軸方向の全長Ｌに対するリブの、フェライトコアの電子銃側端面からの相対的な管軸方向の長さを示し、縦軸は、図８同様リブなしの場合の漏れ磁界の強度を「１」としたときの相対的な漏れ磁界の強度を示している。
【００６５】
なお、ここでは、リブの高さＨ１は、ｈ１＋２Ｔで一定となるようにした。
【００６６】
同グラフに示すようにリブの管軸方向の長さが、ほぼＬ／４以上あれば、漏れ磁界の相対値が約０．７５程度で一定となるので、これ以上リブを長くしても意味がない。  なお、リブ３５１〜３５８を形成することにより、上述の漏れ磁界低減の効果のほかに、フェライトコアの表面積を増加させて放熱効果を向上させるという副次的な効果も得られるものである。
【００６７】
（変形例）
以上、本発明を実施の形態に基づいて説明してきたが、本発明の技術的範囲は、上記の実施の形態に限定されないことは勿論であり、例えば、以下のような変形例を考えることができる。
【００６８】
（１）上記実施の形態では、各コイル束のコイル端部の全ての位置にリブを設けるようにしたが、それより少ない箇所であっても従来のリブのない場合に比べて垂直偏向コイルの漏れ磁界を低減するという効果は得られる。
【００６９】
但し、電子ビームの軌道に一番影響を与えるのは、ｙｚ平面およびｘｚ平面における漏れ磁界、とりわけｘ方向成分の磁界成分であると考えられるので、少なくとも水平のｘ軸から一番巻角の大きなコイル端部に近接する位置にはリブを設けることが望ましい（図３では、リブ３５１、３５２に該当。）。すなわち、偏向ヨークの電子銃側の領域においては、電子ビームはまだほとんど偏向されておらず、この領域で漏れ磁界のｘ方向成分により電子ビームの軌道がｙ方向にずれると、電子ビームがスクリーンに到達したときにはそのずれが拡大される。このため、ｘ軸方向からの角度の絶対値が最大となる位置にリブを設けて、漏れ磁界のｘ方向成分を吸収する方が望ましいのである。
【００７０】
（２）上記実施の形態では、上下の垂直偏向コイルがそれぞれ２つのコイル束に分割されていたが、陰極線管のサイズや形状等に応じて最適な偏向磁界の分布を得るため、当該コイル束の数がさらに多くなっても構わない。この場合でも、全てのコイル端部に近接してリブを設けるのが望ましいが、少なくとも、ｘ軸からの巻角が一番大きな位置のコイル端部の位置にリブを設ける必要があるのは上記（１）と同じである。
【００７１】
（３）上記実施の形態では、リブとフェライトコアが一体成形されるとした。しかし、必ずしも一体成形しなくても、例えばフェライトコア外周面のリブ形成予定位置に溝を形成しておき、この溝に別途形成したリブを嵌め込むようにして取り付けても構わない。この場合には、リブをフェライトより透磁率の高い別材料で形成することにより、漏れ磁界の一層の低減が可能となる。
【００７２】
（４）上記実施の形態では、リブをフェライトコアの電子銃側の端面まで回り込んで形成させたが、この回り込み部がなくても漏れ磁界低減の効果は得られるので、必須の構成ではない。
【産業上の利用可能性】
【００７３】
以上のように本発明に係る偏向ヨークによれば、補正コイルを設けなくても、トロイダル型の垂直偏向コイルから発生する漏れ磁界を効果的に低減できるので、これを使用することのより表示画像の質を維持しつつ、製造コストが低減された陰極線管装置を提供することができる。
【図面の簡単な説明】
【００７４】
【図１】カラー陰極線管装置の概略構成を示す半断面図である。
【図２】垂直偏向コイルをトロイダル状に巻回したフェライトコアの外観斜視図である。
【図３】フェライトコアの電子銃側端面における垂直偏向コイルの巻角およびリブの位置を示す図である。
【図４】フェライトコアの図２のＡ−Ａ矢視断面図である。
【図５】リブによる漏れ磁界の低減効果を評価するための評価面の位置を示す図である。
【図６】（ａ）は、図５の評価面Ｖにおける漏れ磁界の強度分布を、（ｂ）は、同じ評価面Ｖにおける従来のリブのない場合の漏れ磁界の強度分布をそれぞれ示す図である。
【図７】（ａ）は、図５の評価面Ｐにおける漏れ磁界の強度分布を、（ｂ）は、同じ評価面Ｐにおける従来のリブのない場合の漏れ磁界の強度分布をそれぞれ示す図である。
【図８】リブの高さと漏れ磁界の強度の関係を示すグラフである。
【図９】リブの管軸方向の長さと漏れ磁界の強度の関係を示すグラフである。
【符号の説明】
【００７５】
１０    カラー陰極線管装置
１２    カラー陰極線管
２４    電子銃
２８    蛍光体スクリーン
３２    水平偏向コイル
３４    フェライトコア
３６    垂直偏向コイル
５０    磁性体リング
３５１〜３５８  リブ
３６１〜３６４  コイル束
３４３  フェライトコアの電子銃側端面
Ｈ１    リブのフェライトコア外周面からの高さ
Ｈ２    リブのフェライトコア端面からの高さ
Ｌｌ    リブのフェライトコア端面からの管軸方向における長さ
Ｌ      フェライトコアの管軸方向における全長
【図１】
2005056670.tif 000003
【図２】
2005056670.tif 000004
【図３】
2005056670.tif 000005
【図４】
2005056670.tif 000006
【図５】
2005056670.tif 000007
【図６】
2005056670.tif 000008
【図７】
2005056670.tif 000009
【図８】
2005056670.tif 000010
【図９】
2005056670.tif 000011